(57)【要約】      （修正有）【課題】接着片を活用して、水引本体の飾り結び目が外れることがなく、外観的にも高級感が得られ、装飾的にも優れた紐状水引を提供する。【解決手段】紐状の水引を連着して所望の形状に一体形成してなる水引本体１と、該水引本体と同素材の両端をゴム紐３で連結して輪っか状の水引形状にしてなる水引バンド２とから構成される水引において、数本のひも状の水引を連着してなる帯状の水引本体を左右同形の輪っか状に一体形成しかつ水引バンドの両端部を接着する。更に１本の帯状水引のほぼ中央部を水平状に切断してゴム紐で連結し該ゴム紐の両端を接着片４で固着しかつ帯状水引の他端部を傾針状に切断し、該両端を輪っか状の結び目に形成して紐状水引を構成する。【選択図】図１
0003158240.tif 000002
【実用新案登録請求の範囲】
【請求項１】
紐状の水引を連着して所望の形状に一体形成してなる水引本体と、該水引本体と同素材の両端をゴム紐で連結して輪っか状の水引形状にしてなる水引バンドとから構成される水引において、数本のひも状の水引を連着してなる帯状の水引本体を左右同形の輪っか状に一体形成しかつ水引バンドの両端部を接着してなることを特徴とする紐状水引。
【請求項２】
前項の紐状水引において、１本の帯状水引のほぼ中央部を水平状に切断してゴム紐で連結し該ゴム紐の両端を接着片で固着し、かつ帯状水引の他端部を傾針状に切断して該両端を輪っか状の結び目を形成してなる請求項１記載の紐状水引。
【考案の詳細な説明】
【技術分野】
【０００１】
本考案は、主に冠婚時に贈られる祝儀袋や贈答品に装着される平水引にて成形された水引に関するが、詳しくは従来の紐状水引の改良に関するものである。
【背景技術】
【０００２】
従来の紐状水引としては、例えば実用新案登録第３１４８７６０号で開示されたものである。この従来例の水引に関する実施例について説明する。
【０００３】
従来の紐状水引は図８と図９に示すように、複数本の水引１１、１１…を接合状態に並列された帯紐で所望形状に結び上げられた結び目１２と、この結び目１２の左右両端に延出すべく配設された環状の束紐とからなり、この束紐にリング状の環状体又は輪ゴムとから構成されている。
【０００４】
この水引１１、１１…には、紙撚に全着色した色水引や紙撚の上に純金箔を巻回させた金銀水引・アルミ箔・トテトン蒸着フィルムとなどの金銀色彩水引・絹巻水引・蛇腹水引・砂子水引・針金入り水引・金赤水引などの水引が使用される。この平水引は、和紙・クラフト紙などを小巾の帯状に裁断して略０．８〜２ｍｍ程度の大きさに撚られた紙撚芯ヲ接合状態に並列すると共に、各紙撚芯間の谷間に適宜硬性の針金を配置させ、かつその外周に接着剤を介して外被材をＳ撚りに巻き付けることにより線形が成型されている。
【０００５】
また、前記の針金は略０．２〜０．４ｍｍ程度の鋼線・鉄線・銅線などの素材からなるもので、用途に応じて種々の太さのものを選択でき、また外被材には適宜フィルム材が使用され例えばポリエチレンテレフタレート・ポリプロピレン・ポリ塩化ビニル・ポリアミド・ポリカボネート・ビニロンなどの合成樹脂フィルムに、アルミニウム・金・銀・クロム・ニッケル・亜鉛・錫などの金属に蒸着させた金属蒸着フィルムが用いられる。
【０００６】
一方、結び目１２は前述の水引を接合状態に並列された標準的巾の帯紐の結び目１２に結び上げており、別体の束紐を摺動自在に挿通させていると共に連結部させて環状体又は輪ゴムが止着されている。このように環状の束紐を拡径すべく伸長できるため、水引本体Ａを祝儀袋Ｂからの出し入れが容易で従来の如く型くずれをきすこともない。
【０００７】
次に、本発明に係る結びものの他の実施例を図９を参照しながら説明する。なお、理解を容易にするために、前述した他の実施例と同一部分は同一符号で示し構成の異なる処のみを新たな番号を付して以下に説明する。この実施例に係る結びものは、環状体又は輪ゴムに代わって平ゴム紐を使用する。
【０００８】
この平ゴム紐は束紐の両端に縫着などの取付手段を介して止着されており実施例の環状体又は輪ゴムと同様に環状の束紐を拡径すべく伸長できるため、祝儀袋の出し入れがし易く従来の如く型くずれをきたすことがない。更に、平ゴム紐を束紐と同系色の編みゴム又は織りゴムなどで形成すると共に束紐の紐巾と略同巾に形成すれば、当該束紐に縫着等の連結手段を介して一体的に止着することによって束紐と平ゴム紐との分別がつきづらく、かつより簡単かつ堅固に止着できることとなる。
【０００９】
更に、この実施例に係る結びものは環状体又は輪ゴムに代わって接着テープ又は両面テープを使用する。このように束紐を適宜の位置にてホチキス止１４してからテープで止着するので他の素材のものが表面に現出することがなく、違和感もなく接合できるために外観を損ねることがない。すなわち、結びものとしての品格及び商品価値を低下させることなく装着でききる。
【００１０】
更に、この実施例に係る結びものは環状体又は輪ゴムに代えて束紐の両端に設けられた両連結部にそれぞれ押通した紐部材と両連結部の間に配設される連結板とからなり、この両方の紐部材を連結板の挿通孔に挿通させて結束することで意匠的に斬新な連結部材を形成することにとなる。特に、連結板や紐結と同系色の板材で形成し束紐の紐巾と略同巾に形成すると共に、紐部材や当該連結板に種々の装飾を施すことにより結びものとしての品格及び商品価値を向上させることが可能である。
【００１１】
更に、この実施例に係る結びものは、環状体又は輪ゴムに代わって、束紐の紐巾と略半幅に形成される結び目を互いに嵌合して止着されるものである。このように切れ目を互いに嵌合して止着することによって、束紐を取り外したりまた環状に連結することができるため、祝儀袋Ｂへの取り付けが簡単にできることとなる。
【００１２】
なお、この実施例に係る結びものは、結び目１２に対して束紐を摺動自在に組み付けてなることを特徴を有する。このように、束紐を摺動自在にすることによって弾性部材が結び目１２に対して摺動自在に変位することから、例えば一方の折り目が束紐の中心位置に他方の折り目弾性部材５又は連結部材の中央来るように束紐を折りたたむことができる。
【特許文献１】実用新案登録第３１４８７６号公報
【考案の開示】
【考案が解決しようとする課題】
【００１３】
この従来水引には、ゴムと水引ハンドとをホチキス止めされているので、祝儀袋の表面をキズつけたり、外観的にも目立つ悪い欠点があった。また、水引本体と水引バンドを固定するのにホンドで接着しているため、食品などの贈物には衛生面や香りの面において不向きとされていた。更に、この方法では水引本体と水引バンドが固定されているので所望の位置で固定することが不可能とされていた。このような従来水引の課題を解決するために開発したものである。
【課題を解決するための手段】
【００１４】
本考案は、このような従来の課題を課題を解決するために改良を加えた考案であり、紐状の水引を連着して所望の形状に一体形成してなる水引本体と、該水引本体と同素材の両端をゴム紐で連結して輪っか状の水引形状にしてなる水引バンドとから構成される水引において、数本のひも状の水引を連着してなる帯状の水引本体を左右同形の輪っか状に一体形成しかつ水引バンドの両端部を接着してなることを特徴とする紐状水引の提供にあり、また前記前項の紐状水引において１本の帯状水引のほぼ中央部を水平状に切断してゴム紐で連結し該ゴム紐の両端を接着片で固着しかつ帯状水引の他端部を傾針状に切断して該両端を輪っか状の結び目を形成してなる紐状水引の提供にある。
【考案の効果】
【００１５】
本考案は、紐状の水引を連着して所望の形状に一体形成してなる水引本体と、該水引本体と同素材の両端をゴム紐で連結して輪っか状の水引形状にしてなる水引バンドとから構成される水引において、数本のひも状の水引を連着してなる帯状の水引本体を左右同形の輪っか状に一体形成しかつ水引バンドの両端部を接着してなることを特徴とする紐状水引の提供にあり、また前記の紐状水引において１本の帯状水引のほぼ中央部を水平状に切断してゴム紐で連結し該ゴム紐の両端を接着片で固着しかつ帯状水引の他端部を傾針状に切断して該両端を輪っか状の結び目を形成してなる紐状水引の提供にあるから、従来の水引では得られない次のような多くの効果が得られる。
ア、水引ハンドの両端をホチキス止めされていないので、装着の後にゴムと水引バンドとが外れてホチキスが露出したり、その露出によりホチキス針で指などを怪我をしたり、祝儀袋をキズつけることがない水引袋を提供することができる。
イ、ゴムと水引バンドの色をかえることによって、外観的にも高級感が得られ装飾的にも優れた水引を提供することができる。
ウ、また装着の際、水引バンドと水引本体の飾り結び目が外れることがないという機能的にも優れた水引を提供することもできる。
【００１６】
なお、本考案は従来の紐水引を改良したものであるから、従来得られていた次のような効果も当然得られる。
ａ、複数本の水引を接合状態に並列された帯紐で所望形状に結び上げられた結び目と、外結び目の左右両端に延出すべく配設された環状の束紐と、外束火元の少なくとも一部に介在された連結部材若しくは弾性部材とを備えてなる結びものにおいて、前記弾性部材は、前記束紐に連結部を介して止着された環状体又は輪ゴムからなることによって、環状の束紐を拡径すべく伸長できるため、祝儀袋等の出し入れがし易く、従来の如く型くずれを来すこともない効果が得られる。
ｂ、また連結部材は、前記束紐の紐巾と略同巾に形成されると共に前記束紐に止着された平ゴム紐からなることによって、上記の場合と同様に、環状の束紐を拡怪すべく伸長できるため、祝儀袋等の出し入れがし易く、従来の如く型くずれをきたすことがない。更には、平ゴム紐を束紐と同系色の織りゴム等で形成すると共に、束紐の紐巾と略同巾に形成すれば、当該束紐に縫着等の連結手段を介して一体的に止着することによって、束紐と弾性部材との分別がつきづらく、かつより簡単かつ堅固に止着できるという優れた効果も得られる。
ｃ、更に連結部材は、前記束紐の両端に設けられた連結部と両連結部にそれぞれ挿通した紐部材と前記両連結部に配設される連結板とからなり、両方の前記紐部材を前記連結板の挿通孔に挿通させてから結束したものであることによって、意匠的に斬新な連結部材を形成することとなるから、連結板を束紐と同系色の板材で形成し束紐の紐巾と略同巾に形成すると共に紐部材や当該連結板に種々の装飾を施すことにより、結びものとして品格及び商品価値を向上させることが可能な効果も得られる。
【考案を実施するための最良の形態】
【００１７】
本考案は、従来の紐状水引の改良であるから、その基本的な構成は前述の実施例で説明されているので、ここでは改良部分についてのみ説明することにする。以下、図１〜図４を参照しながら改良部の特徴について説明する。
【００１８】
図１と図５とを対比してみればわかるように、基本的な構成は全く同様であるが水引バンド２と結び目１２とは大きく異なっている。すなわち、本考案の水引バンド２のゴム紐３を介して両端を接着片４．４で連着していることは全く同じであるが、その連着手段が従来はホチキス止１４してボンドで接着しているが、本考案ではホチキス止めせずにボンドで接着せずに直接無臭の接着片を介して接着片４、４で固着されている。
【００１９】
このように成形された水引本体１を図３のような祝儀袋Ｂに挿着する。その際、水引Ａが祝儀袋Ｂの表側にくるように挿入し、裏側のゴム紐３を介して弾着する。そうすれば、祝儀袋Ｂに水引本体１を弾着させることができる。
【図面の簡単な説明】
【００２０】
【図１】本考案の水引本体を示した斜視図。
【図２】図１に示した水引本体に使用する水引バンドの斜視図。
【図３】本考案の使用方法を示した概要説明図。
【図４】本考案の使用方法を示した概要説明図。
【図５】本考案の従来水引を示した概要斜視図。
【符号の説明】
【００２１】
１    水引本体
２    水引バンド
３    ゴム紐
４    接着片
５    切断片
１１  水引
１２  結び目
１３  平ゴム紐
１４  ホチキス止め
Ａ    水引
Ｂ    祝儀袋
Ｃ    祝物
【図１】
0003158240.tif 000003
【図２】
0003158240.tif 000004
【図３】
0003158240.tif 000005
【図４】
0003158240.tif 000006
【図５】
0003158240.tif 000007
【手続補正書】
【提出日】平成22年1月21日(2010.1.21)
【手続補正１】
【補正対象書類名】実用新案登録請求の範囲
【補正対象項目名】全文
【補正方法】変更
【補正の内容】
【実用新案登録請求の範囲】
【請求項１】
紐状の水引を連着して所望の形状に一体形成してなる水引本体と、該水引本体と同素材の両端をゴム紐で連結して輪っか状の水引形状にしてなる水引バンドとから構成される水引において、数本のひも状の水引を連着してなる帯状の水引本体を左右同形の輪っか状に一体形成しかつ水引バンドの両端部を接着してなることを特徴とする紐状水引。
【請求項２】
請求項１に記載の紐状水引において、１本の帯状水引のほぼ中央部を水平状に切断してゴム紐で連結し該ゴム紐の両端を接着片で固着し、かつ帯状水引の他端部を傾針状に切断して該両端を輪っか状の結び目を形成してなる請求項１記載の紐状水引。